(57)【特許請求の範囲】
【請求項１】
端子部に設けられた端子金具と、挿入された複数の素線から成る電線を前記端子金具に形成された電線収納孔に導く電線挿入口とを備え、挿入された前記電線が前記電線収納孔に収納されて前記端子金具に接続される電線接続型配電機器において、
前記電線挿入口は、電線挿入端側が広く開口し、前記端子金具側が狭くすぼんで電線挿入端から前記電線収納孔に境目無くつながる円または楕円の単一の弧状をした縦断面形状を呈することを特徴とする電線接続型配電機器。
【請求項２】
前記電線挿入口は、狭くすぼんだ前記端子金具側が前記円または楕円の弧に接する直線部分を経て前記電線収納孔につながる縦断面形状を呈することを特徴とする請求項１に記載の電線接続型配電機器。
【請求項３】
前記電線挿入口は、円または長円または多角形の横断面形状を呈することを特徴とする請求項１または請求項２に記載の電線接続型配電機器。
【発明の詳細な説明】
【技術分野】
【０００１】
本発明は、挿入された電線を端子金具に形成された電線収納孔に導く電線挿入口を備え、挿入された電線が電線収納孔に収納されて端子金具に接続される電線接続型配電機器に関するものである。
【背景技術】
【０００２】
従来、この種の電線接続型配電機器としては、例えば、特許文献１に開示された電力量計がある。電力量計は、同文献に開示されるように、その端子部に配設された端子金具に電線挿入口を介して電線が挿入される。
【０００３】
図１（ａ）および（ｂ）は、このような電力量計の端子部１の一般的な構造をそれぞれ示す部分縦断面図である。端子部１には端子金具２が配設されており、端子金具２に形成された電線収納孔２ａには、電線挿入口１ａまたは１ｂを介して図示しない電線が挿入される。電線収納孔２ａに挿入された電線は、端子ねじ３が締められることで、電線収納孔２ａに収納されて端子金具２に電気的に接続される。
【０００４】
同図（ａ）に示す電線挿入口１ａは、電線挿入穴形状が段付きの形状になっており、電線挿入端側の大きな径の穴と端子金具２側の小さな径の穴とが２段になって設けられている。同図（ｂ）に示す電線挿入口１ｂは、電線挿入穴形状がテーパ形状になっており、電線挿入端側が広く、端子金具２側に向かって直線状に狭くなるテーパ形状となっている。
【先行技術文献】
【特許文献】
【０００５】
【特許文献１】特開平９−２８８１２８号公報
【発明の概要】
【発明が解決しようとする課題】
【０００６】
しかしながら、上記従来の電線接続型配電機器は、電線挿入口１ａのように、端子部１の電線挿入穴形状が段付きの形状になっていると、電線挿入口１ａに挿入された電線の先端が穴の径が細くなる段部分に引っ掛かり、電線の素線がばらけてしまうことがある。このため、上記従来の配電機器は、電線挿入口１ａへ電線を挿入して端子金具２に接続する配線作業の作業性が悪かった。従って、配電機器の交換作業の妨げとなり、作業効率の低下や工事の安全性に課題があった。
【０００７】
また、電線挿入口１ｂのように、端子部１の電線挿入穴形状がテーパ形状になっている従来の配電機器は、段付きの形状になっている電線挿入口１ａを備えている場合に比較して、電線が引っ掛かる段が無いため電線を挿入しやすい。しかし、端子金具２の電線収納孔２ａへの電線の挿入位置を決め易くするためには、電線挿入口１ｂの電線挿入端から端子金具２までの導入距離を長くするか、テーパ形状のテーパ角度を大きくして電線挿入口１ｂの電線挿入端の開口径を大きくする必要がある。ところが、導入距離を長くすると、端子部１が長くなって配電機器が大型化する。また、テーパ角度を大きくすると、位置決めは行い易くなるが、挿入される電線の方向が電線収納孔２ａの中心軸に対して角度が付き、電線が電線収納孔２ａに円滑に入り難くなる。
【課題を解決するための手段】
【０００８】
本発明はこのような課題を解決するためになされたもので、
端子部に設けられた端子金具と、挿入された複数の素線から成る電線を端子金具に形成された電線収納孔に導く電線挿入口とを備え、挿入された電線が電線収納孔に収納されて端子金具に接続される電線接続型配電機器において、
電線挿入口が、電線挿入端側が広く開口し、端子金具側が狭くすぼんで電線挿入端から電線収納孔に境目無くつながる円または楕円の単一の弧状をした縦断面形状を呈することを特徴とする。
【０００９】
この構成によれば、電線挿入口の縦断面形状が電線挿入端から電線収納孔に境目無くつながる円または楕円の単一の弧状をしているため、電線挿入口は、広く開口する電線挿入端から端子金具まで徐々にすぼむ、段の無い縦断面形状となる。このため、電線挿入口の電線挿入端の開口を広く確保しつつ、電線挿入口に挿入される電線を、電線挿入端から端子金具まで、徐々にすぼむ縦断面に沿って円滑に導いて、電線収納孔に挿入させることが可能になる。従って、従来の段付き形状をした電線挿入口を備える配電機器のように、電線挿入口に挿入された電線の先端が段部分に引っ掛かり、電線の素線がばらけてしまうことは無くなり、徐々にすぼむ断面で素線がまとめられるようになって、配線作業の作業性は向上する。よって、配電機器の交換作業を作業効率よく円滑に行え、また、工事の安全性を確保することが可能になる。また、従来のテーパ形状をした電線挿入口を備える配電機器のように、配電機器を大型化することなく、端子金具の電線収納孔への位置決めをし易く、電線収納孔に円滑に電線を挿入することが可能になる。
【００１０】
また、本発明は、電線挿入口が、狭くすぼんだ端子金具側が円または楕円の弧に接する直線部分を経て電線収納孔につながる縦断面形状を呈することを特徴とする。
【００１１】
この構成によれば、電線挿入口に挿入される電線は、直線部分に案内されることで、端子金具の電線収納孔への位置決めがさらにし易くなり、電線収納孔にさらに円滑に挿入されるようになる。
【００１２】
また、本発明は、電線挿入口が、円または長円または多角形の横断面形状を呈することを特徴とする。
【００１３】
この構成によれば、色々な横断面形状をした電線挿入口を備える配電機器が提供される。
【発明の効果】
【００１４】
本発明によれば、配線作業の作業性がよく、端子金具の電線収納孔への電線挿入位置決めをし易い電線挿入口を備える配電機器を、大型化すること無く、提供することが可能になる。
【図面の簡単な説明】
【００１５】
【図１】従来の電線接続型配電機器の端子部の構造を示す部分縦断面図である。
【図２】本発明による電線接続型配電機器が適用される一実施の形態の電力量計の斜視図である。
【図３】図２に示す電力量計の端子部の構造を示す部分縦断面図である。
【図４】一実施の形態の第１，第２および第３の変形例による電力量計の端子部の構造を示す部分縦断面図である。
【図５】一実施の形態の電力量計の端子部に設けられる電線挿入口の概念形状を示す部分正面図および一部破断斜視図である。
【図６】一実施の形態の第４の変形例による電力量計の電線挿入口の概念形状を示す部分正面図および一部破断斜視図である。
【図７】一実施の形態の第５の変形例による電力量計の電線挿入口の概念形状を示す部分正面図および一部破断斜視図である。
【発明を実施するための形態】
【００１６】
次に、本発明による電線接続型配電機器を電力量計に適用した一実施の形態について説明する。
【００１７】
図２は本実施の形態による電力量計１１の斜視図である。
【００１８】
電力量計１１の樹脂筐体１２の下方の端子部には、端子金具取付穴１２ａが整列されて開口している。各端子金具取付穴１２ａには端子金具１３が挿入されており、この端子金具１３には電線挿入口１２ｂを介して電線１５が挿入される。端子金具１３に挿入された電線１５は、端子ねじ１４で締め付けられることで、端子金具１３に電気的に接続される。
【００１９】
図３（ａ）は、筐体１２の下方の端子部の部分縦断面図である。なお、同図において図２と同一部分には同一符号を付してその説明は省略する。
【００２０】
端子金具１３は真鍮等の金属から成り、その軸方向には電線収納孔１３ａが円筒状に形成されている。この電線収納孔１３ａの上部２箇所には雌ねじが切られたねじ穴が開口しており、このねじ穴には端子ねじ１４が螺合している。端子金具１３が設けられた筐体１２の端子部には、電線収納孔１３ａに通じる電線挿入口１２ｂが開口している。電線挿入口１２ｂは、挿入される電線１５を同図（ｂ）に示すように、電線収納孔１３ａに導くものである。電線１５は複数の素線１５ａが束ねられて構成されており、電線挿入口１２ｂに挿入される先端部は被覆が剥がされて素線１５ａが露出している。電線挿入口１２ｂに挿入された電線１５は、その先端部の素線１５ａが電線収納孔１３ａに収納されて端子ねじ１４で締め付けられることで、端子金具１３に電気的に接続される。
【００２１】
電線挿入口１２ｂは、図示する電線挿入穴形状を有し、電線挿入端側が広く開口し、端子金具１３側が狭くすぼんで電線収納孔１３ａにつながる円２１の弧２１ａ状をした縦断面形状を有する。端子金具１３側に開口する電線挿入口１２ｂの口径は、電線収納孔１３ａの入り口の口径と同程度まで細くなっている。
【００２２】
このような本実施の形態による電力量計１１によれば、電線挿入口１２ｂの縦断面形状が円２１の弧２１ａ状をしているため、電線挿入口１２ｂは、広く開口する電線挿入端から端子金具１３まで徐々にすぼむ、段の無い縦断面形状となる。このため、電線挿入口１２ｂの電線挿入端の開口を広く確保しつつ、電線挿入口１２ｂに挿入される電線１５を、電線挿入端から端子金具１３まで、徐々にすぼみ縦断面に沿って円滑に導いて、電線収納孔１３ａに挿入させることが可能になる。従って、従来の段付き形状をした電線挿入口１ａ（図１（ａ）参照）を備える電力量計のように、電線挿入口１ａに挿入された電線１５の先端が段部分に引っ掛かり、電線１５の素線１５ａがばらけてしまうことは無くなり、徐々にすぼむ断面で素線１５ａがまとめられるようになって、配線作業の作業性は向上する。よって、電力量計の交換作業を作業効率よく円滑に行え、また、工事の安全性を確保することが可能になる。また、従来のテーパ形状をした電線挿入口１ｂ（図１（ｂ）参照）を備える電力量計のように、電力量計を大型化することなく、端子金具１３の電線収納孔１３ａへの位置決めをし易く、電線収納孔１３ａに円滑に電線１５を挿入することが可能になる。
【００２３】
なお、上記実施形態では、円２１の弧２１ａ状をした縦断面形状を電線挿入口１２ｂが有する場合について説明した。しかし、図４（ａ）に示す第１の変形例のように、楕円２２の弧２２ａ状をした縦断面形状を電線挿入口１２ｃが有するように構成してもよい。なお、図４において図３と同一または相当する部分には同一符号を付してその説明は省略する。この構成によっても、電線挿入口１２ｃは、広く開口する電線挿入端から端子金具１３まで徐々にすぼむ、段の無い縦断面形状となる。このため、この電線挿入口１２ｃを電力量計１１が備える場合においても、上記の実施の形態と同様な作用効果が奏される。
【００２４】
また、図３に示す上記の実施の形態の電線挿入口１２ｂは、図４（ｂ）に示す第２の変形例のように、すぼんだ端子金具１３側が円２１の弧２１ａに接する直線部分２３を経て、電線収納孔１３ａにつながる縦断面形状を有する電線挿入口１２ｄのように構成してもよい。また、図４（ａ）に示す電線挿入口１２ｃは、同図（ｃ）に示す第３の変形例のように、すぼんだ端子金具１３側が楕円２２の弧２２ａに接する直線部分２４を経て、電線収納孔１３ａにつながる縦断面形状を有する電線挿入口１２ｅのように構成してもよい。同図（ｂ）および（ｃ）に示す構成の電線挿入口１２ｄおよび１２ｅを電力量計１１が備える場合においても、上記の実施の形態と同様な作用効果が奏されると共に、電線挿入口１２ｄおよび１２ｅに挿入される電線１５は、直線部分２３および２４に案内されることで、端子金具１３の電線収納孔１３ａへの位置決めがさらにし易くなり、電線収納孔１３ａにさらに円滑に挿入されるようになる。
【００２５】
また、上記の実施形態においては、電線挿入口１２ｂが、図５に示す筐体１２の端子部概念図のように、横断面形状が円形状をしている場合について、説明した。しかし、図６に示す筐体１２の端子部概念図のように横断面形状が長円形状をした電線挿入口１２ｆ、図７に示す筐体１２の端子部概念図のように横断面形状が多角形状をした電線挿入口１２ｇのように構成してもよい。ここで、図５，図６および図７における各分図（ａ）は、電線挿入口１２ｂ，１２ｆおよび１２ｇを正面から見た筐体１２の端子部の正面図であり、各分図（ｂ）はその一部破断斜視図である。また、図４（ａ），（ｂ）および（ｃ）に示す第１，第２および第３の各変形例においても、電線挿入口１２ｃ，１２ｄおよび１２ｅは、同様に、横断面形状が円形状、長円形状または多角形状のいずれの形状をしていてもよい。
【００２６】
このような構成によれば、色々な横断面形状をした電線挿入口１２ｂ，１２ｆおよび１２ｇを備える電力量計１１が提供される。
【産業上の利用可能性】
【００２７】
上記の実施の形態では、電線接続型配電機器を電力量計とした場合について説明したが、本発明の電線接続型配電機器は電力量計に限定されることは無い。例えば、漏電遮断器や配線用遮断器、タイムスイッチ等の電線の接続を要する他の配電機器にも、同様に本発明を適用することが可能であり、その場合においても上記の実施の形態と同様な作用効果が奏される。
【符号の説明】
【００２８】
１１…電力量計
１２…筐体
１２ａ…端子金具取付穴
１２ｂ，１２ｃ，１２ｄ，１２ｅ，１２ｆ，１２ｇ…電線挿入口
１３…端子金具
１３ａ…電線収納孔
１４…端子ねじ
１５…電線
１５ａ…素線
２１…円
２１ａ…円２１の弧
２２…楕円
２２ａ…楕円２２の弧
２３，２４…直線部分
【図１】
0005977066.tif 000002
【図２】
0005977066.tif 000003
【図３】
0005977066.tif 000004
【図４】
0005977066.tif 000005
【図５】
0005977066.tif 000006
【図６】
0005977066.tif 000007
【図７】
0005977066.tif 000008